(57)【要約】【課題】ＳＯＣ、ＳＯＨをより正確に診断しつつ、エネルギーの消費を低減することが可能な制御回路を提供する。【解決手段】電源システムの制御ユニットは、予め設定された第１の規定期間の間、前記複数の二次電池のうちの第１の二次電池を予め設定された値の第１の定電流で放電させるとともに前記第１の二次電池の電圧の変化を測定して、ＳＯＣ、及び／又は、ＳＯＨを診断するとともに、前記第１の二次電池の放電電流を前記送電線に供給する。【選択図】図１
2017046553.tif 000002
【特許請求の範囲】
【請求項１】
直流電力を送電線に出力する主電源と、
充放電可能な複数の二次電池と、
前記送電線に接続され、前記送電線を介して電流が供給されて、前記複数の二次電池に対する充電を制御するとともに、前記複数の二次電池の放電を制御することにより前記送電線へ供給する電流を制御する制御ユニットと、
前記送電線に供給された直流電力を交流電力に変換して負荷に供給する出力インバータと、を備え、
前記出力インバータが前記送電線に供給された直流電力を交流電力に変換して前記負荷に供給している状態において、
前記制御ユニットは、
予め設定された第１の規定期間の間、前記複数の二次電池のうちの第１の二次電池を予め設定された値の第１の定電流で放電させるとともに前記第１の二次電池の電圧の変化を測定して、ＳＯＣ（Ｓｔａｔｅ  Ｏｆ  Ｃｈａｒｇｅ）、及び／又は、ＳＯＨ（Ｓｔａｔｅ  Ｏｆ  Ｈｅａｌｔｈ）を診断するとともに、前記第１の二次電池の放電電流を前記送電線に供給することを特徴とする電源システム。
【請求項２】
前記出力インバータが前記送電線に供給された直流電力を交流電力に変換して前記負荷に供給している状態において、
前記制御ユニットは、
前記第１の規定期間において前記第１の二次電池の放電電流を前記送電線に供給しているときに、前記負荷への電力の供給が必要量以上である場合は、前記送電線に流れる電流の一部を前記複数の二次電池のうちの第２の二次電池に供給して、前記第２の二次電池を充電する
ことを特徴とする請求項１に記載の電源システム。
【請求項３】
前記制御ユニットは、
前記第１の規定期間において前記第１の二次電池の放電電流を前記送電線に供給しているときに、前記負荷への電力の供給が必要量未満である場合は、さらに前記第２の二次電池を放電させて、前記第２の二次電池の放電電流を前記送電線に供給する
ことを特徴とする請求項２に記載の電源システム。
【請求項４】
前記出力インバータが前記送電線に供給された直流電力を交流電力に変換して前記負荷に供給している状態において、
前記制御ユニットは、
前記第１の二次電池のＳＯＣ及び／又はＳＯＨの診断の後、予め設定された第２の規定期間の間、前記第２の二次電池を予め設定された値の第２の定電流で放電させるとともに前記第２の二次電池の電圧の変化を測定して、ＳＯＣ及び／又はＳＯＨを診断するとともに、前記第２の二次電池の放電電流を前記送電線に供給する
ことを特徴とする請求項２に記載の電源システム。
【請求項５】
前記制御ユニットは、
前記第１の二次電池の電圧を測定し且つ前記送電線を介して供給された電流の前記第１の二次電池に対する充電を制御する第１の充電部と、
前記第１の二次電池の電圧を測定し且つ前記第１の二次電池を放電させて前記送電線へ供給する第１の定電流放電部と、
前記第２の二次電池の電圧を測定し且つ前記送電線を介して供給された電流の前記第２の二次電池に対する充電を制御する第２の充電部と、
前記第２の二次電池の電圧を測定し且つ前記第２の二次電池を放電させて前記送電線へ供給する第２の定電流放電部と、を備える
ことを特徴とする請求項２に記載の電源システム。
【請求項６】
前記制御ユニットは、
前記第１の規定期間の間、前記第１の二次電池の温度を測定し、前記第１の二次電池の電圧の変化、前記第１の二次電池の電流の値、及び前記第１の二次電池の温度に基づいて、ＳＯＣ及び／又はＳＯＨを診断する
ことを特徴とする請求項１に記載の電源システム。
【請求項７】
前記主電源は、
交流電力を出力する交流電源と、
前記交流電源が出力する交流電力を直流電力に変換して前記送電線に出力する第１のコンバータと、を含む
ことを特徴とする請求項１に記載の電源システム。
【請求項８】
前記主電源は、
直流電力を出力する太陽電池と、前記太陽電池が出力する直流電力を調整して前記送電線に出力する第２のコンバータと、含むこと
を特徴とする請求項１に記載の電源システム。
【請求項９】
前記複数の二次電池は、リチウムイオン電池であることを特徴とする請求項１に記載の電源システム。
【請求項１０】
前記第１の二次電池の容量は、前記第２の二次電池の容量と等しいことを特徴とする請求項２に記載の電源システム。
【請求項１１】
前記制御ユニットは、
前記第１の二次電池のＳＯＣ及び／又はＳＯＨの診断結果に応じた信号を出力することを特徴とする請求項１に記載の電源システム。
【請求項１２】
直流電力を送電線に出力する主電源と、充放電可能な複数の二次電池と、前記送電線に供給された直流電力を交流電力に変換して負荷に供給する出力インバータと、を備えた電源システムに適用される、二次電池診断装置であって、
前記二次電池診断装置は、
前記出力インバータが前記送電線に供給された直流電力を交流電力に変換して前記負荷に供給している状態において、
予め設定された第１の規定期間の間、前記複数の二次電池のうちの第１の二次電池を予め設定された値の第１の定電流で放電させるとともに前記第１の二次電池の電圧の変化を測定して、ＳＯＣ（Ｓｔａｔｅ  Ｏｆ  Ｃｈａｒｇｅ）、及び／又は、ＳＯＨ（Ｓｔａｔｅ  Ｏｆ  Ｈｅａｌｔｈ）を診断するとともに、前記第１の二次電池の放電電流を前記送電線に供給する
ことを特徴とする二次電池診断装置。
【発明の詳細な説明】
【技術分野】
【０００１】
本発明は、電源システム、および、二次電池診断装置に関する発明である。
【背景技術】
【０００２】
例えば、特許文献１に記載のように、主電源Ｓから供給された電力を負荷Ｌｏａｄに供給するとともに二次電池Ｂに充電し、必要に応じて該二次電池Ｂから負荷Ｌｏａｄに電力を供給する電源システム１００Ａが知られている（図７参照）。
【０００３】
この電源システム１００Ａにおいて、ＳＯＣ（Ｓｔａｔｅ  Ｏｆ  Ｃｈａｒｇｅ）やＳＯＨ（Ｓｔａｔｅ  Ｏｆ  Ｈｅａｌｔｈ）等の容量診断を実行する場合、例えば、負荷Ｌｏａｄや、放電用のダミー抵抗（図示せず）を組み合わせた負荷Ｌｏａｄの構成に対して、該二次電池Ｂを放電させて診断を実行する。
【先行技術文献】
【特許文献】
【０００４】
【特許文献１】特開２００１−２８９９２４
【発明の開示】
【発明が解決しようとする課題】
【０００５】
しかし、この放電用のダミー抵抗は、該二次電池Ｂの放電レートを一定にして診断の精度を向上するために必要になるが、診断の際に該ダミー抵抗で電池のエネルギーを無駄に消費してしまうこととなる。
【０００６】
一方、このダミー抵抗を省略すると、負荷Ｌｏａｄの動作による放電では、該二次電池Ｂの放電レートが一定とならず、正確に二次電池Ｂを診断することが困難になる問題がある。
【０００７】
特に、時間帯によっては、負荷Ｌｏａｄへの電力の供給の必要量が低い場合があり、この場合、診断のための該二次電池Ｎの放電レートも低くなってしまい、結果として、診断時間が長くなってしまう。
【０００８】
このように、従来の電源システム１００Ａでは、エネルギーの消費を低減しつつ、正確に二次電池Ｂの診断をすることが困難である問題があった。
【０００９】
そこで、本発明は、負荷の変動に拘わらずＳＯＣ、ＳＯＨをより正確に診断しつつ、エネルギーの消費を低減することが可能な電源システム、および、二次電池診断装置を提供することを目的とする。
【課題を解決するための手段】
【００１０】
本発明の一態様に係る実施例に従った電源システムは、
直流電力を送電線に出力する主電源と、
充放電可能な複数の二次電池と、
前記送電線に接続され、前記送電線を介して電流が供給されて、前記複数の二次電池に対する充電を制御するとともに、前記複数の二次電池の放電を制御することにより前記送電線へ供給する電流を制御する制御ユニットと、
前記送電線に供給された直流電力を交流電力に変換して負荷に供給する出力インバータと、を備え、
前記出力インバータが前記送電線に供給された直流電力を交流電力に変換して前記負荷に供給している状態において、
前記制御ユニットは、
予め設定された第１の規定期間の間、前記複数の二次電池のうちの第１の二次電池を予め設定された値の第１の定電流で放電させるとともに前記第１の二次電池の電圧の変化を測定して、ＳＯＣ（Ｓｔａｔｅ  Ｏｆ  Ｃｈａｒｇｅ）、及び／又は、ＳＯＨ（Ｓｔａｔｅ  Ｏｆ  Ｈｅａｌｔｈ）を診断するとともに、前記第１の二次電池の放電電流を前記送電線に供給することを特徴とする。
【００１１】
前記電源システムにおいて、
前記出力インバータが前記送電線に供給された直流電力を交流電力に変換して前記負荷に供給している状態において、
前記制御ユニットは、
前記第１の規定期間において前記第１の二次電池の放電電流を前記送電線に供給しているときに、前記負荷への電力の供給が必要量以上である場合は、前記送電線に流れる電流の一部を前記複数の二次電池のうちの第２の二次電池に供給して、前記第２の二次電池を充電する
ことを特徴とする。
【００１２】
前記電源システムにおいて、
前記制御ユニットは、
前記第１の規定期間において前記第１の二次電池の放電電流を前記送電線に供給しているときに、前記負荷への電力の供給が必要量未満である場合は、さらに前記第２の二次電池を放電させて、前記第２の二次電池の放電電流を前記送電線に供給する
ことを特徴とする。
【００１３】
前記電源システムにおいて、
前記出力インバータが前記送電線に供給された直流電力を交流電力に変換して前記負荷に供給している状態において、
前記制御ユニットは、
前記第１の二次電池のＳＯＣ及び／又はＳＯＨの診断の後、予め設定された第２の規定期間の間、前記第２の二次電池を予め設定された値の第２の定電流で放電させるとともに前記第２の二次電池の電圧の変化を測定して、ＳＯＣ及び／又はＳＯＨを診断するとともに、前記第２の二次電池の放電電流を前記送電線に供給する
ことを特徴とする。
【００１４】
前記電源システムにおいて、
前記制御ユニットは、
前記第１の二次電池の電圧を測定し且つ前記送電線を介して供給された電流の前記第１の二次電池に対する充電を制御する第１の充電部と、
前記第１の二次電池の電圧を測定し且つ前記第１の二次電池を放電させて前記送電線へ供給する第１の定電流放電部と、
前記第２の二次電池の電圧を測定し且つ前記送電線を介して供給された電流の前記第２の二次電池に対する充電を制御する第２の充電部と、
前記第２の二次電池の電圧を測定し且つ前記第２の二次電池を放電させて前記送電線へ供給する第２の定電流放電部と、を備える
ことを特徴とする。
【００１５】
前記電源システムにおいて、
前記制御ユニットは、
前記第１の規定期間の間、前記第１の二次電池の温度を測定し、前記第１の二次電池の電圧の変化、前記第１の二次電池の電流の値、及び前記第１の二次電池の温度に基づいて、ＳＯＣ及び／又はＳＯＨを診断する
ことを特徴とする。
【００１６】
前記電源システムにおいて、
前記主電源は、
交流電力を出力する交流電源と、
前記交流電源が出力する交流電力を直流電力に変換して前記送電線に出力する第１のコンバータと、を含む
ことを特徴とする。
【００１７】
前記電源システムにおいて、
前記主電源は、
直流電力を出力する太陽電池と、前記太陽電池が出力する直流電力を調整して前記送電線に出力する第２のコンバータと、含むこと
を特徴とする。
【００１８】
前記電源システムにおいて、
前記複数の二次電池は、リチウムイオン電池であることを特徴とする。
【００１９】
前記電源システムにおいて、
前記第１の二次電池の容量は、前記第２の二次電池の容量と等しいことを特徴とする。
【００２０】
前記電源システムにおいて、
前記制御ユニットは、
前記第１の二次電池のＳＯＣ及び／又はＳＯＨの診断結果に応じた信号を出力することを特徴とする。
【００２１】
本発明の一態様に係る実施例に従った二次電池診断装置は、
直流電力を送電線に出力する主電源と、充放電可能な複数の二次電池と、前記送電線に供給された直流電力を交流電力に変換して負荷に供給する出力インバータと、を備えた電源システムに適用される、二次電池診断装置であって、
前記二次電池診断装置は、
前記出力インバータが前記送電線に供給された直流電力を交流電力に変換して前記負荷に供給している状態において、
予め設定された第１の規定期間の間、前記複数の二次電池のうちの第１の二次電池を予め設定された値の第１の定電流で放電させるとともに前記第１の二次電池の電圧の変化を測定して、ＳＯＣ（Ｓｔａｔｅ  Ｏｆ  Ｃｈａｒｇｅ）、及び／又は、ＳＯＨ（Ｓｔａｔｅ  Ｏｆ  Ｈｅａｌｔｈ）を診断するとともに、前記第１の二次電池の放電電流を前記送電線に供給する
ことを特徴とする。
【発明の効果】
【００２２】
本発明の一態様に係る電源システムは、直流電力を送電線に出力する主電源と、充放電可能な複数の二次電池と、送電線に接続され、送電線を介して電流が供給されて、複数の二次電池に対する充電を制御するとともに、複数の二次電池の放電を制御することにより送電線へ供給する電流を制御する制御ユニットと、送電線に供給された直流電力を交流電力に変換して負荷に供給する出力インバータと、を備える。
【００２３】
そして、出力インバータが送電線に供給された直流電力を交流電力に変換して負荷に供給している状態において、制御ユニットは、予め設定された第１の規定期間の間、複数の二次電池のうちの第１の二次電池を予め設定された値の第１の定電流で放電させるとともに第１の二次電池の電圧の変化を測定して、ＳＯＣ、ＳＯＨを診断するとともに、第１の二次電池の放電電流を送電線に供給する。
【００２４】
このように、電源システムの制御ユニットは、放電用のダミー抵抗を用いずに、診断対象となる第１の二次電池の放電電流が一定になるように制御する。
【００２５】
したがって、本発明に係る電源システムは、ＳＯＣ、ＳＯＨをより正確に診断しつつ、エネルギーの消費を低減することができる。
【００２６】
特に、本発明に係る電源システムは、制御ユニットは、第１の規定期間において第１の二次電池の放電電流を送電線に供給しているときに、負荷への電力の供給が必要量以上である場合は、送電線に流れる電流の一部を複数の二次電池のうちの第２の二次電池に供給して、第２の二次電池を充電する。
【００２７】
これにより、時間帯により負荷への電力の供給の必要量が低くなる場合等の負荷の変動に拘わらず、診断対象となる第１の二次電池の放電電流を一定に制御して正確にＳＯＣ、ＳＯＨの診断を実行しつつ、負荷の変動に応じて第２の二次電池に放電電流の一部を充電させてエネルギーの消費を低減することができる。
【図面の簡単な説明】
【００２８】
【図１】図１は、本発明に係る電源システム１００の構成を示す図である。
【図２】図２は、図１に示す電源システム１００の具体的な構成の一例を示す図である。
【図３】図３は、図２に示す電源システム１００の軽負荷時の動作の一例を説明するための図である。
【図４】図４は、図２に示す電源システム１００の重負荷時の動作の一例を説明するための図である。
【図５】図５は、図２に示す電源システム１００の重負荷の動作の他の例を説明するための図である。
【図６】図６は、図１に示す電源システム１００の具体的な構成の他の例を示す図である。
【図７】図７は、従来の電源システム１００Ａの構成を示す図である。
【発明を実施するための最良の形態】
【００２９】
以下、本発明に係る実施形態について図面に基づいて説明する。
【第１の実施形態】
【００３０】
図１は、本発明に係る電源システム１００の構成を示す図である。また、図２は、図１に示す電源システム１００の具体的な構成の一例を示す図である。
【００３１】
図１、図２に示すように、第１の実施形態に係る電源システム１００は、主電源Ｓと、複数の二次電池Ｂ１、Ｂ２と、制御ユニット（二次電池診断装置）ＣＵと、出力インバータＩＮＶと、を備える。
【００３２】
ここで、主電源Ｓは、直流電力を送電線Ｙに出力するようになっている。
【００３３】
この主電源Ｓは、例えば、図２に示すように、交流電源ＡＣと、第１のコンバータＸ１と、を含む。
【００３４】
交流電源ＡＣは、交流電力を出力するようになっている。この交流電源ＡＣは、例えば、商用の交流電源である。
【００３５】
また、第１のコンバータＸ１は、交流電源ＡＣが出力する交流電力を直流電力に変換して、送電線Ｙに出力するようになっている。
【００３６】
また、複数の二次電池Ｂ１、Ｂ２（第１の二次電池Ｂ１、第２の二次電池Ｂ２）は、充放電可能になっている。なお、図１、図２の例では、送電線Ｙと接地との間で二次電池が２つ（第１の二次電池Ｂ１、第２の二次電池Ｂ２）並列に接続された場合を示しているが、送電線Ｙと接地との間で二次電池が３つ以上並列に接続されていてもよい。さらに、送電線Ｙと接地との間において、第１、第２の二次電池Ｂ１、Ｂ２に加えて他の二次電池が直列に接続されていてもよい。
【００３７】
また、この複数の二次電池Ｂ１、Ｂ２は、例えば、リチウムイオン電池、ニッケル水素電池、又は鉛蓄電池である。
【００３８】
なお、例えば、第１の二次電池Ｂ１の容量は、第２の二次電池Ｂ２の容量と等しくなるように設定されている。但し、充電電圧が一定であれば、必ずしも、第１の二次電池Ｂ１の容量は、第２の二次電池Ｂ２の容量と等しくなくてもよい。
【００３９】
また、出力インバータＩＮＶは、送電線Ｙに供給された直流電力を交流電力に変換して負荷Ｌｏａｄに供給するようになっている。なお、以下では、出力インバータＩＮＶが送電線Ｙに供給された直流電力を交流電力に変換して負荷Ｌｏａｄに供給している状態を、「電力供給状態」と称する場合がある。
【００４０】
また、制御ユニットＣＵは、送電線Ｙに接続されている。この制御ユニットＣＵは、送電線Ｙを介して電流が供給されて、複数の二次電池Ｂ１、Ｂ２に対する充電を制御するようになっている。さらに、この制御ユニットＣＵは、複数の二次電池Ｂ１、Ｂ２の放電を制御することにより、送電線Ｙへ供給する電流を制御する。
【００４１】
また、制御ユニットＣＵは、負荷Ｌｏａｄへ供給する電力の必要量に関する情報を取得することができるようになっている。さらに、制御ユニットＣＵは、主電源Ｓから出力される直流電力の電力量を検出するようになっている。そして、制御ユニットＣＵは、主電源Ｓから出力される直流電力の電力量や、負荷Ｌｏａｄへ供給する電力の必要量に基づいて、複数の二次電池Ｂ１、Ｂ２の放電を制御する。
【００４２】
この制御ユニットＣＵは、後述のように、複数の二次電池Ｂ１、Ｂ２のＳＯＣ、ＳＯＨを診断する二次電池診断装置としても機能する。さらに、例えば、制御ユニットＣＵは、第１、第２の二次電池Ｂ１、Ｂ２のＳＯＣ及び／又はＳＯＨの診断結果に応じた信号を出力するようになっている。
【００４３】
この制御ユニットＣＵは、例えば、図２に示すように、第１の充電部Ｃ１と、第１の定電流放電部Ｄ１と、第２の充電部Ｃ２と、第２の定電流放電部Ｄ２と、を備える。
【００４４】
第１の充電部Ｃ１は、第１の二次電池Ｂ１の電圧を測定し且つ送電線Ｙを介して供給された電流の第１の二次電池Ｂ１に対する充電を制御するようになっている。
【００４５】
第１の定電流放電部Ｄ１は、第１の二次電池Ｂ１の電圧を測定し且つ第１の二次電池Ｂ１を放電させて送電線Ｙへ供給するようになっている。
【００４６】
第２の充電部Ｃ２は、第２の二次電池Ｂ２の電圧を測定し且つ送電線Ｙを介して供給された電流の第２の二次電池Ｂ２に対する充電を制御するようになっている。
【００４７】
第２の定電流放電部Ｄ２は、第２の二次電池Ｂ２の電圧を測定し且つ第２の二次電池Ｂ２を放電させて送電線Ｙへ供給するようになっている。
【００４８】
ここで、例えば、出力インバータＩＮＶが送電線Ｙに供給された直流電力を交流電力に変換して負荷Ｌｏａｄに供給している「電力供給状態」において、制御ユニットＣＵは、予め設定された第１の規定期間の間、複数の二次電池Ｂ１、Ｂ２のうちの第１の二次電池Ｂ１を予め設定された値の第１の定電流で放電させるとともに第１の二次電池Ｂ１の電圧の変化を測定し、さらには第１の二次電池Ｂ１の温度を測定する。
【００４９】
そして、制御ユニットＣＵは、第１の二次電池Ｂ１を既述の第１の定電流で放電させたときの第１の二次電池Ｂ１の電圧の測定結果に基づいて、ＳＯＣ、及び／又は、ＳＯＨを診断する。より詳しくは、制御ユニットＣＵは、既述の第１の規定期間における、第１の二次電池Ｂ１の電圧の変化、第１の二次電池Ｂ１の電流の値、及び第１の二次電池Ｂ１の温度に基づいて、ＳＯＣ及び／又はＳＯＨを診断する。
【００５０】
さらに、制御ユニットＣＵは、既述の第１の規定期間の間、第１の二次電池Ｂ１の放電電流（第１の定電流）を送電線Ｙに供給する。
【００５１】
このように、電源システム１００の制御ユニットＣＵは、放電用のダミー抵抗を用いずに、診断対象となる第１の二次電池Ｂ１の放電電流が一定になるように制御する。
【００５２】
したがって、電源システム１００は、ＳＯＣ、ＳＯＨをより正確に診断しつつ、エネルギーの消費を低減することができる。
【００５３】
特に、出力インバータＩＮＶが送電線Ｙに供給された直流電力を交流電力に変換して負荷Ｌｏａｄに供給している「電力供給状態」において、制御ユニットＣＵは、既述の第１の規定期間において第１の二次電池Ｂ１の放電電流を送電線Ｙに供給しているときに、負荷Ｌｏａｄへの電力の供給が必要量以上である場合は、送電線Ｙに流れる電流の一部を複数の二次電池Ｂ１、Ｂ２のうちの第２の二次電池Ｂ２に供給して、第２の二次電池Ｂ２を充電するようにしてもよい。
【００５４】
これにより、負荷Ｌｏａｄへの電力の供給が必要量以上である場合に、診断対象ではない第２の二次電池Ｂ２に、送電線Ｙに流れる電流の一部（第１の二次電池Ｂ１の放電電流の一部）を充電して、診断による二次電池のエネルギーの消費を低減することができる。
【００５５】
一方、制御ユニットＣＵは、既述の第１の規定期間において第１の二次電池Ｂ１の放電電流を送電線Ｙに供給しているときに、負荷Ｌｏａｄへの電力の供給が必要量未満である場合は、さらに第２の二次電池Ｂ２を放電させて、第２の二次電池Ｂ２の放電電流を送電線Ｙに供給するようにしてもよい。
【００５６】
これにより、負荷Ｌｏａｄへの電力の供給が必要量に応じて、診断対象になっていない第２の二次電池Ｂ２から放電電流を送電線Ｙに供給して、負荷Ｌｏａｄに所定の電力が供給されるようにすることができる。
【００５７】
さらに、出力インバータＩＮＶが送電線Ｙに供給された直流電力を交流電力に変換して負荷Ｌｏａｄに供給している「電力供給状態」において、制御ユニットＣＵは、第１の二次電池Ｂ１のＳＯＣ及び／又はＳＯＨの診断の後、予め設定された第２の規定期間の間、第２の二次電池Ｂ２を予め設定された値の第２の定電流で放電させるとともに第２の二次電池Ｂ２の電圧の変化を測定して、ＳＯＣ及び／又はＳＯＨを診断するとともに、第２の二次電池Ｂ２の放電電流を送電線Ｙに供給するようにしてもよい。
【００５８】
これにより、複数の二次電池Ｂ１、Ｂ２を連続して、ＳＯＣ、ＳＯＨをより正確に診断しつつ、エネルギーの消費を低減することができる。
【００５９】
次に、以上のような構成を有する電源システム１００の動作の一例について、図３ないし図５を用いて説明する。
【００６０】
図３は、図２に示す電源システム１００の軽負荷時の動作の一例を説明するための図である。図４は、図２に示す電源システム１００の重負荷時の動作の一例を説明するための図である。図５は、図２に示す電源システム１００の重負荷の動作の他の例を説明するための図である。
【００６１】
例えば、図３に示すように、負荷Ｌｏａｄの電力の必要量が小さい軽負荷時の「電力供給状態」において、制御ユニットＣＵは、既述の第１の規定期間において第１の二次電池Ｂ１の放電電流ＩＤ１を第１の定電流放電部Ｄ１から送電線Ｙに供給しているときに、送電線Ｙに流れる電流の一部を第２の充電部Ｃ２介して充電電流ＩＣ２として複数の二次電池Ｂ１、Ｂ２のうちの第２の二次電池Ｂ２に供給して、第２の二次電池Ｂ２を充電するようにしてもよい。
【００６２】
これにより、負荷Ｌｏａｄの電力の必要量が小さい軽負荷時である場合に、診断対象ではない第２の二次電池Ｂ２に、送電線Ｙに流れる電流の一部（第１の二次電池Ｂ１の放電電流の一部）を充電して、診断による二次電池のエネルギーの消費を低減することができる。
【００６３】
また、例えば、図４に示すように、負荷Ｌｏａｄの電力の必要量が大きい重負荷時の「電力供給状態」おいて、制御ユニットＣＵは、既述の第１の規定期間において第１の二次電池Ｂ１の放電電流を送電線Ｙに供給し、且つ主電源Ｓが送電線Ｙに直流電力を出力しているときに、さらに第２の二次電池Ｂ２を放電させて、第２の二次電池Ｂ２の放電電流を送電線Ｙに供給するようにしてもよい。
【００６４】
これにより、負荷Ｌｏａｄの電力の必要量が大きい重負荷時である場合に、診断対象になっていない第２の二次電池Ｂ２から放電電流を送電線Ｙに供給して、負荷Ｌｏａｄに所定の電力が供給されるようにすることができる。
【００６５】
同様に、例えば、図５に示すように、負荷Ｌｏａｄの電力の必要量が大きい重負荷時において、「電力供給状態」おいて、制御ユニットＣＵは、既述の第１の規定期間において第１の二次電池Ｂ１の放電電流を送電線Ｙに供給しているときに、さらに第２の二次電池Ｂ２を放電させて、第２の二次電池Ｂ２の放電電流を送電線Ｙに供給するようにしてもよい。
【００６６】
これにより、負荷Ｌｏａｄの電力の必要量が大きい重負荷時である場合に、診断対象になっていない第２の二次電池Ｂ２から放電電流を送電線Ｙに供給して、負荷Ｌｏａｄに所定の電力が供給されるようにすることができる。
【００６７】
以上のように、本発明の一態様に係る電源システムは、直流電力を送電線Ｙに出力する主電源Ｓと、充放電可能な複数の二次電池Ｂ１、Ｂ２と、送電線Ｙに接続され、送電線Ｙを介して電流が供給されて、複数の二次電池Ｂ１、Ｂ２に対する充電を制御するとともに、複数の二次電池Ｂ１、Ｂ２の放電を制御することにより送電線Ｙへ供給する電流を制御する制御ユニットＣＵと、送電線Ｙに供給された直流電力を交流電力に変換して負荷Ｌｏａｄに供給する出力インバータＩＮＶと、を備える。
【００６８】
そして、出力インバータＩＮＶが送電線Ｙに供給された直流電力を交流電力に変換して負荷Ｌｏａｄに供給している電力供給状態において、制御ユニットＣＵは、予め設定された第１の規定期間の間、複数の二次電池Ｂ１、Ｂ２のうちの第１の二次電池Ｂ１を予め設定された値の第１の定電流で放電させるとともに第１の二次電池Ｂ１の電圧の変化を測定して、ＳＯＣ、ＳＯＨを診断するとともに、第１の二次電池Ｂ１の放電電流を送電線Ｙに供給する。
【００６９】
このように、電源システム１００の制御ユニットＣＵは、放電用のダミー抵抗を用いずに、診断対象となる第１の二次電池Ｂ１の放電電流が一定になるように制御する。
【００７０】
したがって、本発明に係る電源システムは、ＳＯＣ、ＳＯＨをより正確に診断しつつ、エネルギーの消費を低減することができる。
【００７１】
特に、本発明に係る電源システムは、制御ユニットＣＵは、第１の規定期間において第１の二次電池Ｂ１の放電電流を送電線Ｙに供給しているときに、負荷Ｌｏａｄへの電力の供給が必要量以上である場合は、送電線Ｙに流れる電流の一部を複数の二次電池Ｂ１、Ｂ２のうちの第２の二次電池Ｂ２に供給して、第２の二次電池Ｂ２を充電する。
【００７２】
これにより、時間帯により負荷Ｌｏａｄへの電力の供給の必要量が低くなる場合等の負荷Ｌｏａｄの変動に拘わらず、診断対象となる第１の二次電池Ｂ１の放電電流を一定に制御して正確にＳＯＣ、ＳＯＨの診断を実行しつつ、負荷Ｌｏａｄの変動に応じて第２の二次電池Ｂ２に放電電流の一部を充電させてエネルギーの消費を低減することができる。
【第２の実施形態】
【００７３】
本第２の実施形態では、主電源の構成が第１の実施形態と異なる電源システムの構成の一例について説明する。図６は、図１に示す電源システム１００の具体的な構成の他の例を示す図である。なお、この図６において、図２と同じ符号は、第１の実施形態と同様の構成を示し、説明を省略する。
【００７４】
第２の実施形態に係る電源システム１００は、第１の実施形態と同様に、主電源Ｓと、複数の二次電池Ｂ１、Ｂ２と、制御ユニット（二次電池診断装置）ＣＵと、出力インバータＩＮＶと、を備える。
【００７５】
ここで、主電源Ｓは、図６に示すように、第１の実施形態と比較して、太陽電池Ｚと、第２のコンバータＸ２と、をさらに備える。
【００７６】
太陽電池Ｚは、直流電力を出力するようになっている。なお、この太陽電池に代えて、風力、水力、地熱等の発電を用いた電源を適用してもよい。
【００７７】
第２のコンバータＸ２は、太陽電池Ｚが出力する直流電力を調整して送電線Ｙに出力するようになっている。
【００７８】
このように、この第２の実施形態においては、主電源Ｓは、商用の交流電源ＡＣと太陽電池Ｚを電源として、直流電力を出力するようになっている。
【００７９】
このように、第２の実施形態に係る電源システム２００は、第１の実施形態の電源システム１００と比較して、主電源Ｓの構成が異なる。
【００８０】
この図６に示す電源システム１００のその他の構成は、第１の実施形態に係る図２に示す電源システム１００と同様である。
【００８１】
そして、以上のような構成を有する電源システム１００の動作は、第１の実施形態と同様である。
【００８２】
すなわち、本第２の実施形態に係る電源システムによれば、第１の実施形態と同様に、ＳＯＣ、ＳＯＨをより正確に診断しつつ、エネルギーの消費を低減することができる。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８４】
１００  電源システム
Ｓ  主電源
Ｂ１  第１の二次電池
Ｂ２  第２の二次電池
ＣＵ  制御ユニット（二次電池診断装置）
ＩＮＶ  出力インバータ
ＡＣ  交流電源
Ｘ１  第１のコンバータ
Ｃ１  第１の充電部
Ｄ１  第１の定電流放電部
Ｃ２  第２の充電部
Ｄ２  第２の定電流放電部
【図１】
2017046553.tif 000003
【図２】
2017046553.tif 000004
【図３】
2017046553.tif 000005
【図４】
2017046553.tif 000006
【図５】
2017046553.tif 000007
【図６】
2017046553.tif 000008
【図７】
2017046553.tif 000009